(57)【要約】  遠隔にいる利用者の意図した通りに負荷機器へと電力を供給することが可能なスイッチ制御システムを提供する。  電源１０と、照明２０と、直列に接続されると共にその両端にそれぞれ三路スイッチ（三路スイッチ３０及び切替リレー４０）が配置された複数のスイッチと、を直列に接続し、当該複数のスイッチのいずれかを切り替えることで照明２０への電力の供給の可否を切り替えることが可能なスイッチ制御システム１であって、前記複数のスイッチのいずれか１つを切替リレー４０で構成すると共に、照明２０への電力の供給の有無を検知する電力検知リレー５０と、照明２０へ電力を供給するか否かを利用者が指示するための操作端末９０と、電力検知リレー５０による検知結果、及び操作端末９０による指示に基づいて、当該指示通りに照明２０へと電力が供給されるように切替リレー４０を制御するホームサーバ７０と、をさらに具備した。
2014049702.tif 000002
【特許請求の範囲】
【請求項１】
電源と、
負荷機器と、
直列に接続されると共にその両端にそれぞれ三路スイッチが配置された複数のスイッチと、
を直列に接続し、当該複数のスイッチのいずれかを切り替えることで前記負荷機器への電力の供給の可否を切り替えることが可能なスイッチ制御システムであって、
前記複数のスイッチのいずれか１つを切替リレーで構成すると共に、
前記負荷機器への電力の供給の有無を検知する電力検知リレーと、
前記負荷機器へ電力を供給するか否かを利用者が指示するための操作手段と、
前記電力検知リレーによる検知結果、及び前記操作手段による指示に基づいて、当該指示通りに前記負荷機器へと電力が供給されるように前記切替リレーを制御する制御手段と、
をさらに具備することを特徴とする、
スイッチ制御システム。
【請求項２】
前記制御手段は、
前記負荷機器へ電力が供給されていない状態において、前記操作手段により前記負荷機器へ電力を供給する旨の指示がなされた場合、
及び、
前記負荷機器へ電力が供給されている状態において、前記操作手段により前記負荷機器へ電力を供給しない旨の指示がなされた場合に、
前記切替リレーを切り替えることを特徴とする、
請求項１に記載のスイッチ制御システム。
【請求項３】
前記制御手段は、
前記負荷機器へ電力が供給されている状態において、前記操作手段により前記負荷機器へ電力を供給する旨の指示がなされた場合、
及び、
前記負荷機器へ電力が供給されていない状態において、前記操作手段により前記負荷機器へ電力を供給しない旨の指示がなされた場合には、
前記切換リレーを切り替えないことを特徴とする、
請求項１又は請求項２に記載のスイッチ制御システム。
【請求項４】
前記電力検知リレーによる検知結果を利用者に報知する報知手段をさらに具備することを特徴とする、
請求項１から請求項３までのいずれか一項に記載のスイッチ制御システム。
【請求項５】
前記負荷機器は照明であることを特徴とする、
請求項１から請求項４までのいずれか一項に記載のスイッチ制御システム。
【発明の詳細な説明】
【技術分野】
【０００１】
本発明は、電源と、負荷機器と、直列に接続されると共にその両端にそれぞれ三路スイッチが配置された複数のスイッチと、を直列に接続し、当該複数のスイッチのいずれかを切り替えることで前記負荷機器への電力の供給の可否を切り替えることが可能なスイッチ制御システムの技術に関する。
【背景技術】
【０００２】
従来、電源と、負荷機器（電球）と、直列に接続されると共にその両端にそれぞれ三路スイッチが配置された複数のスイッチと、を直列に接続し、当該複数のスイッチのいずれかを切り替えることで前記負荷機器への電力の供給の可否を切り替えることが可能なスイッチ制御システムの技術は公知となっている。例えば、特開２０００−２２８２６３号公報に記載の如くである。【０００３】
このような従来のスイッチ制御システムの一例であるスイッチ制御システム５０１を図６（ａ）に示す。【０００４】
スイッチ制御システム５０１は、電源５１０と、負荷機器としての照明５２０と、ｃ接点を有する２つの三路スイッチ（三路スイッチ５３０及び三路スイッチ５４０）と、を直列に接続したものである。【０００５】
このように構成されたスイッチ制御システム５０１においては、２つの三路スイッチ（三路スイッチ５３０及び三路スイッチ５４０）のどちらを切替操作しても、電源５１０から照明５２０への電力の供給の可否を切り替えることができる。すなわち、２つの三路スイッチ（三路スイッチ５３０及び三路スイッチ５４０）のどちらを切替操作しても、照明５２０の点灯と消灯とを切り替えることができる。【０００６】
このように構成されたスイッチ制御システム５０１において、例えば照明５２０を住宅の階段の照明として設け、２つの三路スイッチ（三路スイッチ５３０及び三路スイッチ５４０）を当該階段の上下にそれぞれ配置すれば、利用者は当該階段の上下どちらからでも階段の照明５２０の点灯と消灯とを切り替えることができる。【０００７】
また、スイッチの切り替えを遠隔操作可能としたスイッチ制御システムの一例であるスイッチ制御システム６０１を図６（ｂ）に示す。【０００８】
スイッチ制御システム６０１は、電源６１０と、負荷機器としての照明６２０と、ｃ接点を有する三路スイッチ６３０と、ｃ接点を有する切替リレー６４０と、を直列に接続したものである。スイッチ制御システム６０１は、さらに、切替リレー６４０を制御するリレー制御装置６６０と、ホームサーバ６７０と、無線ルータ６８０と、操作端末６９０と、を具備する。【０００９】
リレー制御装置６６０の信号出力部６６１及び信号入力部６６２は、切替リレー６４０と接続されている。リレー制御装置６６０は、信号出力部６６１から発信するＨＩＧＨ又はＬＯＷの電気信号によって、切替リレー６４０を切り替えることができる。また、リレー制御装置６６０は、信号入力部６６２で受信する切替リレー６４０からのＨＩＧＨ又はＬＯＷの電気信号に基づいて、切替リレー６４０の状態（ＨＩＧＨ又はＬＯＷのどちらに切り替えられているか）を検知することができる。【００１０】
利用者が操作端末６９０を使って照明６２０を点灯又は消灯させる旨の指示を出すと、当該指示が無線ルータ６８０を介してホームサーバ６７０に伝達される。ホームサーバ６７０は当該指示に従ってリレー制御装置６６０の動作を制御し、切替リレー６４０を切り替える。【００１１】
このように、スイッチ制御システム６０１においては、任意の場所から操作端末６９０を操作することで、切替リレー６４０の切り替えを遠隔操作することができ、ひいては照明６２０の点灯と消灯との切り替えを遠隔操作することができる。すなわち、スイッチ制御システム６０１においては、直接三路スイッチ６３０を操作して照明６２０を切り替えることができるだけでなく、操作端末６９０を用いて遠隔操作で照明６２０を切り替えることもできる。【００１２】
しかしながら、このようなスイッチ制御システム６０１においては、ホームサーバ６７０は、リレー制御装置６６０を介して切替リレー６４０がＨＩＧＨ又はＬＯＷのどちらに切り替えられているかを検知することができるが、照明６２０が点灯しているか消灯しているかを正確に検知することはできない。【００１３】
例えば、図６（ｂ）に示すように、三路スイッチ６３０のＣＯＭ端子６３１とＮＣ端子６３２とが接続され、切替リレー６４０のＣＯＭ端子６４１とＮＣ端子６４２とが接続されるように、当該三路スイッチ６３０及び切替リレー６４０が切り替えられている場合、電源６１０からの電力は照明６２０に供給され、当該照明６２０は点灯している。この場合、図６（ｂ）に示すように、切替リレー６４０はＬＯＷに切り替えられており、リレー制御装置６６０はその旨（すなわち、切替リレー６４０がＬＯＷに切り替えられている旨）を検知することができる。【００１４】
この状態を基準にすると、ホームサーバ６７０は、切替リレー６４０がＬＯＷに切り替えられている状態であれば、照明６２０は点灯していると定義することができる。【００１５】
しかし、図６（ｂ）に示す状態から、三路スイッチ６３０のＣＯＭ端子６３１とＮＯ端子６３３とが接続されるように当該三路スイッチ６３０が切り替えられた場合、電源６１０からの電力は照明６２０に供給されず、当該照明６２０は消灯する。この場合においても切替リレー６４０はＬＯＷに切り替えられており、リレー制御装置６６０はその旨（すなわち、切替リレー６４０がＬＯＷに切り替えられている旨）を検知する。【００１６】
この状態においては、ホームサーバ６７０は、前述の定義に従って、切替リレー６４０がＬＯＷに切り替えられている状態であるので照明６２０は点灯していると判断する。しかし、実際には照明６２０は消灯しているため、ホームサーバ６７０による判断と実際の照明６２０の状態とが一致しない。【００１７】
このように、スイッチ制御システム６０１においては、ホームサーバ６７０は照明６２０が点灯しているか消灯しているかを正確に検知（判断）することができない場合がある。したがって、このようなスイッチ制御システム６０１では、利用者自身が照明６２０の状態（点灯しているか消灯しているか）を確認できない場所から当該照明６２０を遠隔操作する場合、利用者の意図に反して照明６２０の状態が切り替えられるおそれがある点で不利であった。
【発明の開示】
【発明が解決しようとする課題】
【００１８】
本発明は以上の如き状況に鑑みてなされたものであり、その解決しようとする課題は、遠隔にいる利用者の意図した通りに負荷機器へと電力を供給することが可能なスイッチ制御システムを提供することである。
【課題を解決するための手段】
【００１９】
本発明の解決しようとする課題は以上の如くであり、次にこの課題を解決するための手段を説明する。【００２０】
即ち、本発明のスイッチ制御システムにおいては、電源と、負荷機器と、直列に接続されると共にその両端にそれぞれ三路スイッチが配置された複数のスイッチと、を直列に接続し、当該複数のスイッチのいずれかを切り替えることで前記負荷機器への電力の供給の可否を切り替えることが可能なスイッチ制御システムであって、前記複数のスイッチのいずれか１つを切替リレーで構成すると共に、前記負荷機器への電力の供給の有無を検知する電力検知リレーと、前記負荷機器へ電力を供給するか否かを利用者が指示するための操作手段と、前記電力検知リレーによる検知結果、及び前記操作手段による指示に基づいて、当該指示通りに前記負荷機器へと電力が供給されるように前記切替リレーを制御する制御手段と、をさらに具備するものである。【００２１】
本発明のスイッチ制御システムにおいては、前記制御手段は、前記負荷機器へ電力が供給されていない状態において、前記操作手段により前記負荷機器へ電力を供給する旨の指示がなされた場合、及び、前記負荷機器へ電力が供給されている状態において、前記操作手段により前記負荷機器へ電力を供給しない旨の指示がなされた場合に、前記切替リレーを切り替えるものである。【００２２】
本発明のスイッチ制御システムにおいては、前記制御手段は、前記負荷機器へ電力が供給されている状態において、前記操作手段により前記負荷機器へ電力を供給する旨の指示がなされた場合、及び、前記負荷機器へ電力が供給されていない状態において、前記操作手段により前記負荷機器へ電力を供給しない旨の指示がなされた場合には、前記切換リレーを切り替えないものである。【００２３】
本発明のスイッチ制御システムにおいては、前記電力検知リレーによる検知結果を利用者に報知する報知手段をさらに具備するものである。【００２４】
本発明のスイッチ制御システムにおいては、前記負荷機器は照明であるものである。
【発明の効果】
【００２５】
本発明の効果として、以下に示すような効果を奏する。【００２６】
本発明のスイッチ制御システムによれば、遠隔にいる利用者の意図した通りに負荷機器へと電力を供給することができる。【００２７】
本発明のスイッチ制御システムによれば、負荷機器に電力が供給されているか否かを遠隔にいる利用者に報知することができる。【００２８】
本発明のスイッチ制御システムによれば、特に遠隔からの操作が求められることが多い照明に本発明を適用することができる。
【図面の簡単な説明】
【００２９】
【図１】本発明の一実施例に係るスイッチ制御システムの全体的な構成を示したブロック図。
【図２】操作端末を示した正面図。
【図３】スイッチ制御システムにより照明が切り替えられる際の制御を示したフローチャート。
【図４】スイッチ制御システムにより操作端末に照明の状態が表示される際の制御を示したフローチャート。
【図５】他の実施形態に係るスイッチ制御システムの全体的な構成を示したブロック図。
【図６】（ａ）従来のスイッチ制御システムの一例を示したブロック図。（ｂ）従来のスイッチ制御システムの他の例を示したブロック図。
【発明を実施するための最良の形態】
【００３０】
以下では、図１及び図２を用いて、本発明の実施の一形態に係るスイッチ制御システム１の構成について説明する。【００３１】
スイッチ制御システム１は、住宅に設けられる照明２０への電力の供給を任意に切り替えるためのものである。スイッチ制御システム１は、主として電源１０、照明２０、三路スイッチ３０、切替リレー４０、電力検知リレー５０、リレー制御装置６０、ホームサーバ７０、無線ルータ８０及び操作端末９０を具備する。【００３２】
図１に示す電源１０は、電力を様々な負荷機器へと供給するものである。電源１０としては、商用電源や蓄電装置等を用いることができる。【００３３】
照明２０は、本発明に係る負荷機器の実施の一形態であり、住宅に設けられる。本実施形態においては、照明２０は住宅のリビングに設けられるものとする。照明２０は、電源１０と直列に接続される。【００３４】
三路スイッチ３０は、本発明に係る三路スイッチ（スイッチ）の実施の一形態であり、電源１０から照明２０への電力の供給の可否を切り替えることが可能なｃ接点を有するスイッチである。三路スイッチ３０は、ＣＯＭ端子３１、ＮＣ端子３２及びＮＯ端子３３を備えている。三路スイッチ３０は、電源１０及び照明２０と直列に接続される。具体的には、三路スイッチ３０のＣＯＭ端子３１が電源１０と接続される。三路スイッチ３０は、利用者の手によって直接操作し易い場所に設置される。本実施形態においては、照明２０が住宅のリビングに設けられているため、三路スイッチは当該リビングの入り口近傍に設置される。【００３５】
切替リレー４０は、本発明に係る三路スイッチ（スイッチ）及び切替リレーの実施の一形態であり、電源１０から照明２０への電力の供給の可否を切り替えることが可能なｃ接点を有するスイッチである。切替リレー４０は、ＣＯＭ端子４１、ＮＣ端子４２及びＮＯ端子４３を備えている。切替リレー４０は、電源１０、照明２０及び三路スイッチ３０と直列に接続される。具体的には、切替リレー４０のＣＯＭ端子４１が照明２０と、ＮＣ端子４２が三路スイッチ３０のＮＣ端子３２と、ＮＯ端子４３が三路スイッチ３０のＮＯ端子３３と、それぞれ接続される。切替リレー４０は、利用者の手によって直接操作されることが無いため、任意の場所に設置することができる。切替リレー４０は、外部からの制御信号を受けて切り替えられる。【００３６】
上述の如く、電源１０、照明２０、三路スイッチ３０及び切替リレー４０は直列に接続される。三路スイッチ３０のＣＯＭ端子３１とＮＣ端子３２とが接続され、かつ、切替リレー４０のＣＯＭ端子４１とＮＣ端子４２とが接続された場合、並びに、三路スイッチ３０のＣＯＭ端子３１とＮＯ端子３３とが接続され、かつ、切替リレー４０のＣＯＭ端子４１とＮＯ端子４３とが接続された場合には、電源１０からの電力が照明２０に供給され、当該照明２０が点灯する。それ以外の場合には、電源１０からの電力は照明２０に供給されることは無く、当該照明２０は消灯する。【００３７】
電力検知リレー５０は、照明２０への電力の供給の有無を検知するものである。電力検知リレー５０は、照明２０と並列に接続される。電力検知リレー５０は、電源１０からの電力が照明２０へと供給されている場合にＨＩＧＨに切り替えられ、電源１０からの電力が照明２０へと供給されていない場合にＬＯＷに切り替えられる。電力検知リレー５０は、当該状態（ＨＩＧＨであるかＬＯＷであるか）に関する信号を、後述するリレー制御装置６０へと送信する。【００３８】
リレー制御装置６０は、切替リレー４０の切り替え動作を制御すると共に、電力検知リレー５０の状態を検知するものである。リレー制御装置６０は、信号出力部６１及び信号入力部６２を具備する。【００３９】
リレー制御装置６０の信号出力部６１は切替リレー４０と接続される。リレー制御装置６０は、信号出力部６１から切替リレー４０へとＨＩＧＨ又はＬＯＷの制御信号を送信することによって、当該切替リレー４０の切り替え動作を制御することができる。具体的には、リレー制御装置６０が切替リレー４０へとＨＩＧＨの制御信号を送信すると、当該切替リレー４０のＣＯＭ端子４１はＮＣ端子４２と切り離され、ＮＯ端子４３と接続される。リレー制御装置６０が切替リレー４０へとＬＯＷの制御信号を送信すると、当該切替リレー４０のＣＯＭ端子４１はＮＯ端子４３と切り離され、ＮＣ端子４２と接続される。【００４０】
リレー制御装置６０の信号入力部６２は電力検知リレー５０と接続される。リレー制御装置６０は、電力検知リレー５０から信号入力部６２を介して当該電力検知リレー５０の状態を示す信号を受信することによって、当該電力検知リレー５０の状態を検知することができる。すなわち、電力検知リレー５０からの信号によって、当該電力検知リレー５０がＨＩＧＨであるかＬＯＷであるかを検知することができ、ひいては電源１０からの電力が照明２０へと供給されているか否かを検知することができる。【００４１】
ホームサーバ７０は、本発明に係る制御手段の一実施形態であり、スイッチ制御システム１内の情報を管理すると共に、各機器の運転を制御するものである。ホームサーバ７０は、ＲＡＭやＲＯＭ等の記憶部、ＣＰＵ等の演算処理部等により構成される。
ホームサーバ７０はリレー制御装置６０に接続され、当該リレー制御装置６０の動作を制御することができる。具体的には、ホームサーバ７０は、リレー制御装置６０に対して、切替リレー４０へ送信する制御信号を指示することができる。また、ホームサーバ７０は、リレー制御装置６０が検知した電力検知リレー５０の状態に関する情報を取得することができる。【００４２】
無線ルータ８０は、ホームサーバ７０と他の機器とを無線で接続するものである。無線ルータ８０は、ホームサーバ７０に接続される。【００４３】
図１及び図２に示す操作端末９０は、本発明に係る操作手段及び報知手段の一実施形態である。操作端末９０は、照明２０へ電力を供給するか否かを利用者が指示するためのものである。また、操作端末９０は、電力検知リレー５０による検知結果を利用者に報知するものである。操作端末９０は、各種の情報を表示できる表示部と当該表示部に触れることで操作可能な操作部とを組み合わせたタッチパネルを具備する。操作端末９０は、利用者が携帯して任意の場所で操作することが可能である。操作端末９０は、無線ルータ８０を介してホームサーバ７０と各種情報のやり取りを行うことができる。【００４４】
上述の如く構成されたスイッチ制御システム１において、利用者は、リビングの入り口近傍に設置された三路スイッチ３０を切り替えることで、照明２０の点灯又は消灯を切り替えることができる。【００４５】
また、利用者は、操作端末９０を操作することで切替リレー４０を切り替えることができ、ひいては照明２０の点灯又は消灯を切り替えることもできる。【００４６】
以下では、図１から図４までを用いて、上述の如く構成されたスイッチ制御システム１において、操作端末９０が操作された場合の制御態様について説明する。【００４７】
利用者が操作端末９０（図１及び図２参照）を用いてリビングの照明２０を点灯（ＯＮ）又は消灯（ＯＦＦ）する操作を行った場合、当該操作に関する情報が無線ルータ８０を介してホームサーバ７０に伝達される。当該情報がホームサーバ７０に伝達されると、当該ホームサーバ７０は以下の制御（図３及び図４参照）を行う。【００４８】
図３に示すステップＳ１０１において、ホームサーバ７０は、リレー制御装置６０が検知した電力検知リレー５０の状態に関する情報を取得する。すなわち、ホームサーバ７０は、電力検知リレー５０がＨＩＧＨであるかＬＯＷであるかを検知する。
ホームサーバ７０は、当該処理を行った後、ステップＳ１０２に移行する。【００４９】
ステップＳ１０２において、ホームサーバ７０は、操作端末９０から伝達された利用者の操作に関する情報、及びステップＳ１０１において取得した電力検知リレー５０の状態に関する情報に基づいて、切替リレー４０を切り替える必要があるか否かを判定する。【００５０】
具体的には、（１）操作端末９０から照明２０を点灯（ＯＮ）させる旨の指示が伝達され、かつ電力検知リレー５０がＬＯＷの状態である場合、及び（２）操作端末９０から照明２０を消灯（ＯＦＦ）させる旨の指示が伝達され、かつ電力検知リレー５０がＨＩＧＨの状態である場合には、ホームサーバ７０は切替リレー４０を切り替える必要があると判定する。これは、利用者からの指示（照明２０を点灯又は消灯させる旨の指示）と実際の照明２０の状態とが相反しているためである。
この場合、ホームサーバ７０はステップＳ１０３に移行する。【００５１】
一方、（１）操作端末９０から照明２０を点灯（ＯＮ）させる旨の指示が伝達され、かつ電力検知リレー５０がＨＩＧＨの状態である場合、及び（２）操作端末９０から照明２０を消灯（ＯＦＦ）させる旨の指示が伝達され、かつ電力検知リレー５０がＬＯＷの状態である場合には、ホームサーバ７０は切替リレー４０を切り替える必要がないと判定する。これは、利用者からの指示（照明２０を点灯又は消灯させる旨の指示）と実際の照明２０の状態とが一致しているためである。
この場合、ホームサーバ７０はステップＳ１０７に移行する。【００５２】
ステップＳ１０３において、ホームサーバ７０は、リレー制御装置６０が切替リレー４０に対してＨＩＧＨの制御信号を送信しているか否かを判定する。
ホームサーバ７０は、リレー制御装置６０が切替リレー４０に対してＨＩＧＨの制御信号を送信していると判定した場合、ステップＳ１０４に移行する。
ホームサーバ７０は、リレー制御装置６０が切替リレー４０に対してＨＩＧＨの制御信号を送信していない（すなわち、ＬＯＷの制御信号を送信している）と判定した場合、ステップＳ１０５に移行する。【００５３】
ステップＳ１０４において、ホームサーバ７０は、リレー制御装置６０から切替リレー４０に送信される制御信号をＬＯＷに変更する。これによって、切替リレー４０がＨＩＧＨの状態からＬＯＷの状態（ＣＯＭ端子４１とＮＣ端子４２とが接続された状態）に切り替えられる。この場合、操作端末９０からは照明２０を消灯（ＯＦＦ）させる旨の指示が伝達されているので（ステップＳ１０２参照）、利用者からの指示（照明２０を消灯させる旨の指示）と実際の照明２０の状態とが一致することになる。
ホームサーバ７０は、当該処理を行った後、ステップＳ１０６に移行する。【００５４】
ステップＳ１０５において、ホームサーバ７０は、リレー制御装置６０から切替リレー４０に送信される制御信号をＨＩＧＨに変更する。これによって、切替リレー４０がＬＯＷの状態からＨＩＧＨの状態（ＣＯＭ端子４１とＮＯ端子４３とが接続された状態）に切り替えられる。この場合、操作端末９０からは照明２０を点灯（ＯＮ）させる旨の指示が伝達されているので（ステップＳ１０２参照）、利用者からの指示（照明２０を点灯させる旨の指示）と実際の照明２０の状態とが一致することになる。
ホームサーバ７０は、当該処理を行った後、ステップＳ１０６に移行する。【００５５】
ステップＳ１０６において、ホームサーバ７０は、所定時間（例えば、２００（ｍｓ））だけ待機する。これによって、ステップＳ１０４又はステップＳ１０５における切替リレー４０の切り替えが確実に行われた後に、後述する制御（ステップＳ１０７）に移行することができる。従って、操作端末９０に正しい情報を表示させることができる（後述する図４のステップＳ２０１からステップＳ２０４参照）。
ホームサーバ７０は、当該処理を行った後、ステップＳ１０７に移行する。【００５６】
以下では図４を用いて、ステップＳ１０７の処理（操作端末９０の画面に照明２０の状態を表示する制御）について詳細に説明する。【００５７】
ステップＳ２０１において、ホームサーバ７０は、リレー制御装置６０が検知した電力検知リレー５０の状態に関する情報を取得する。すなわち、ホームサーバ７０は、電力検知リレー５０がＨＩＧＨであるかＬＯＷであるかを検知する。
ホームサーバ７０は、当該処理を行った後、ステップＳ２０２に移行する。【００５８】
ステップＳ２０２において、ホームサーバ７０は、電力検知リレー５０がＨＩＧＨの状態であるか否かを判定する。
ホームサーバ７０は、電力検知リレー５０がＨＩＧＨの状態であると判定した場合、ステップＳ２０３に移行する。
ホームサーバ７０は、電力検知リレー５０がＨＩＧＨの状態でない（すなわち、ＬＯＷの状態である）と判定した場合、ステップＳ２０４に移行する。【００５９】
ステップＳ２０３において、ホームサーバ７０は、操作端末９０に、リビングの照明２０が点灯している旨の信号を送信する。当該信号を受けた操作端末９０は、リビングの照明が点灯（ＯＮ）している旨を表示する。これによって、操作端末９０を見ている利用者に、照明が点灯（ＯＮ）している旨を報知することができる。【００６０】
ステップＳ２０４において、ホームサーバ７０は、操作端末９０に、リビングの照明２０が消灯している旨の信号を送信する。当該信号を受けた操作端末９０は、リビングの照明が消灯（ＯＦＦ）している旨を表示する。これによって、操作端末９０を見ている利用者に、照明が消灯（ＯＦＦ）している旨を報知することができる。【００６１】
以上の如く、ホームサーバ７０は、電力検知リレー５０の状態（ＨＩＧＨであるかＬＯＷであるか）を検知することで、照明２０が点灯（ＯＮ）しているか消灯（ＯＦＦ）しているかを判断することができる（図３のステップＳ１０１）。【００６２】
また、ホームサーバ７０は、利用者の指示（照明２０を点灯又は消灯させる旨の指示）と実際の照明２０の状態（照明２０が点灯しているか消灯しているか）とが相反する場合にのみ、切替リレー４０を切り替える（すなわち、照明２０への電力の供給の可否を切り替える）制御を行う（ステップＳ１０３からステップＳ１０６まで）。これによって、利用者の指示通りに照明２０の状態（点灯又は消灯）を切り替えることができる。【００６３】
また、ホームサーバ７０は、切替リレー４０を切り替えた後の照明２０の状態（点灯又は消灯）を、操作端末９０に表示することによって利用者に報知することができる（図４のステップＳ２０１からステップＳ２０４まで）。【００６４】
以上の如く、本実施形態に係るスイッチ制御システム１は、
電源１０と、
照明２０（負荷機器）と、
直列に接続されると共にその両端にそれぞれ三路スイッチ（三路スイッチ３０及び切替リレー４０）が配置された複数のスイッチ（三路スイッチ３０及び切替リレー４０）と、
を直列に接続し、当該複数のスイッチのいずれかを切り替えることで照明２０への電力の供給の可否を切り替えることが可能なスイッチ制御システム１であって、
前記複数のスイッチのいずれか１つを切替リレー４０で構成すると共に、
照明２０への電力の供給の有無を検知する電力検知リレー５０と、
照明２０へ電力を供給するか否かを利用者が指示するための操作端末９０（操作手段）と、
電力検知リレー５０による検知結果、及び操作端末９０による指示に基づいて、当該指示通りに照明２０へと電力が供給されるように切替リレー４０を制御するホームサーバ７０（制御手段）と、
をさらに具備するものである。【００６５】
このように構成することにより、遠隔にいる利用者の意図した通りに照明２０へと電力を供給することができる。また、照明２０への電力の供給の有無を検知するための高価な機器が必要ないため、コストの削減を図ることができる。さらに、リレー（切替リレー４０及び電力検知リレー５０）は各国の電圧に適合したものが一般的に存在するため、本スイッチ制御システム１を様々な国において適用することが容易である。【００６６】
また、ホームサーバ７０は、
照明２０へ電力が供給されていない状態において、操作端末９０により照明２０へ電力を供給する旨の指示がなされた場合、
及び、
照明２０へ電力が供給されている状態において、操作端末９０により照明２０へ電力を供給しない旨の指示がなされた場合（図３のステップＳ１０２）に、
切替リレー４０を切り替える（図３のステップＳ１０４及びステップＳ１０５）ものである。【００６７】
このように構成することにより、遠隔にいる利用者の意図した通りに照明２０へと電力を供給することができる。【００６８】
また、ホームサーバ７０は、
照明２０へ電力が供給されている状態において、操作端末９０により照明２０へ電力を供給する旨の指示がなされた場合、
及び、
照明２０へ電力が供給されていない状態において、操作端末９０により照明２０へ電力を供給しない旨の指示がなされた場合には、
切替リレー４０を切り替えないものである。【００６９】
このように構成することにより、遠隔にいる利用者の意図した通りに照明２０へと電力を供給することができる。【００７０】
また、スイッチ制御システム１は、
電力検知リレー５０による検知結果を利用者に報知する操作端末９０（報知手段）をさらに具備するものである。【００７１】
このように構成することにより、照明２０に電力が供給されているか否かを遠隔にいる利用者に報知することができる。【００７２】
なお、本実施形態においては、本発明に係る負荷機器の一実施形態として照明２０を例示したが、本発明はこれに限るものではない。すなわち、負荷機器として照明２０以外の機器（種々の家電製品や、ホームセキュリティーシステム等）を用いることも可能である。【００７３】
また、本実施形態におけるスイッチ制御システム１では、照明２０は住宅のリビングに設けられるものとしたが、本発明はこれに限るものではない。すなわち、照明２０は寝室、廊下、及び階段等に設けられるものであっても良い。さらに、スイッチ制御システム１をリビング、寝室、廊下等にそれぞれ設け、これら複数のスイッチ制御システム１を１つの操作端末９０で遠隔操作（図２参照）する構成であっても良い。【００７４】
また、本実施形態におけるスイッチ制御システム１では、照明２０は住宅に設けられるものとしたが、本発明はこれに限るものではない。すなわち、照明２０（負荷機器）の設置場所は住宅に限らず、その他の建築物や屋外に設けられるものであっても良い。【００７５】
また、本実施形態における操作端末９０は、利用者が携帯して任意の場所で操作することが可能であるものとしたが、本発明はこれに限るものではない。すなわち、操作端末９０を任意の場所に固定して設置することも可能である。【００７６】
また、本実施形態においては、本発明に係る操作手段及び報知手段の一実施形態として１つの操作端末９０を例示したが、本発明はこれに限るものではない。すなわち、操作手段と報知手段は別個に設けることも可能である。【００７７】
また、本実施形態においては、操作手段としてタッチパネルを備える操作端末９０を例示したが、本発明はこれに限るものではない。例えば、種々のスイッチを用いることも可能である。【００７８】
また、本実施形態においては、報知手段としてタッチパネルを備える操作端末９０を例示したが、本発明はこれに限るものではない。例えば、音声等を発するスピーカー等を用いることも可能である。【００７９】
また、スイッチ制御システム１は、図５に示すように、三路スイッチ３０と切替リレー４０との間に四路スイッチ１００を配置する構成とすることも可能である。このように構成することで、利用者は当該四路スイッチ１００を切り替えることで照明２０の点灯又は消灯を切り替えることもできるようになる。【００８０】
なお、三路スイッチ３０と切替リレー４０との間には複数の四路スイッチを配置することも可能である。また、これら複数のスイッチのうち、いずれか１つのスイッチ（四路スイッチを含む）を切替リレーで構成し、当該切替リレーをリレー制御装置６０で制御する構成としても良い。
【産業上の利用可能性】
【００８１】
本発明は、電源と、負荷機器と、直列に接続されると共にその両端にそれぞれ三路スイッチが配置された複数のスイッチと、を直列に接続し、当該複数のスイッチのいずれかを切り替えることで前記負荷機器への電力の供給の可否を切り替えることが可能なスイッチ制御システムに利用可能である。
【符号の説明】
【００８２】
１    スイッチ制御システム
１０  電源
２０  照明
３０  三路スイッチ
４０  切替リレー
５０  電力検知リレー
６０  リレー制御装置
７０  ホームサーバ
８０  無線ルータ
９０  操作端末
【図１】
2014049702.tif 000003
【図２】
2014049702.tif 000004
【図３】
2014049702.tif 000005
【図４】
2014049702.tif 000006
【図５】
2014049702.tif 000007
【図６】
2014049702.tif 000008
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
電源と、
負荷機器と、
直列に接続されると共にその両端にそれぞれ三路スイッチが配置された複数のスイッチと、
を直列に接続し、当該複数のスイッチのいずれかを切り替えることで前記負荷機器への電力の供給の可否を切り替えることが可能なスイッチ制御システムであって、
前記複数のスイッチのいずれか１つを切替リレーで構成すると共に、
前記負荷機器への電力の供給の有無を検知する電力検知リレーと、
前記負荷機器へ電力を供給するか否かを利用者が指示するための操作手段と、
前記電力検知リレーによる検知結果、及び前記操作手段による指示に基づいて、当該指示通りに前記負荷機器へと電力が供給されるように前記切替リレーを制御する制御手段と、
をさらに具備し、
前記制御手段は、
前記負荷機器へ電力が供給されていない状態において、前記操作手段により前記負荷機器へ電力を供給する旨の指示がなされた場合、
及び、
前記負荷機器へ電力が供給されている状態において、前記操作手段により前記負荷機器へ電力を供給しない旨の指示がなされた場合に、
前記切替リレーを切り替え、
前記負荷機器へ電力が供給されている状態において、前記操作手段により前記負荷機器へ電力を供給する旨の指示がなされた場合、
及び、
前記負荷機器へ電力が供給されていない状態において、前記操作手段により前記負荷機器へ電力を供給しない旨の指示がなされた場合には、
前記切替リレーを切り替えないことを特徴とする、
スイッチ制御システム。
【請求項２】
前記電力検知リレーによる検知結果を利用者に報知する報知手段をさらに具備することを特徴とする、
請求項１に記載のスイッチ制御システム。
【請求項３】
前記負荷機器は照明であることを特徴とする、
請求項１又は請求項２に記載のスイッチ制御システム。
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
電源と、
負荷機器と、
直列に接続されると共にその両端にそれぞれ三路スイッチが配置された複数のスイッチと、
を直列に接続し、当該複数のスイッチのいずれかを切り替えることで前記負荷機器への電力の供給の可否を切り替えることが可能なスイッチ制御システムであって、
前記複数のスイッチのいずれか１つを切替リレーで構成すると共に、
前記負荷機器への電力の供給の有無を検知する電力検知リレーと、
前記負荷機器へ電力を供給するか否かを利用者が指示するための操作手段と、
前記電力検知リレーによる検知結果、及び前記操作手段による指示に基づいて、当該指示通りに前記負荷機器へと電力が供給されるように前記切替リレーを制御する制御手段と、
をさらに具備し、
前記制御手段は、
前記負荷機器へ電力が供給されていない状態において、前記操作手段により前記負荷機器へ電力を供給する旨の指示がなされた場合、
及び、
前記負荷機器へ電力が供給されている状態において、前記操作手段により前記負荷機器へ電力を供給しない旨の指示がなされた場合に、
前記切替リレーを切り替えると共に、前記切替リレーを切り替えた後所定時間だけ待機し、
前記負荷機器へ電力が供給されている状態において、前記操作手段により前記負荷機器へ電力を供給する旨の指示がなされた場合、
及び、
前記負荷機器へ電力が供給されていない状態において、前記操作手段により前記負荷機器へ電力を供給しない旨の指示がなされた場合には、
前記切替リレーを切り替えないことを特徴とする、
スイッチ制御システム。
【請求項２】
前記電力検知リレーによる検知結果を利用者に報知する報知手段をさらに具備し、
前記制御手段は、
前記切替リレーを切り替えた場合には、前記所定時間だけ待機した後に前記報知手段を用いて前記電力検知リレーによる検知結果を利用者に報知することを特徴とする、
請求項１に記載のスイッチ制御システム。
【請求項３】
前記負荷機器は照明であることを特徴とする、
請求項１又は請求項２に記載のスイッチ制御システム。
【手続補正２】
【補正対象書類名】明細書
【補正対象項目名】００２０
【補正方法】変更
【補正の内容】
【００２０】
即ち、本発明のスイッチ制御システムにおいては、電源と、負荷機器と、直列に接続されると共にその両端にそれぞれ三路スイッチが配置された複数のスイッチと、を直列に接続し、当該複数のスイッチのいずれかを切り替えることで前記負荷機器への電力の供給の可否を切り替えることが可能なスイッチ制御システムであって、前記複数のスイッチのいずれか１つを切替リレーで構成すると共に、前記負荷機器への電力の供給の有無を検知する電力検知リレーと、前記負荷機器へ電力を供給するか否かを利用者が指示するための操作手段と、前記電力検知リレーによる検知結果、及び前記操作手段による指示に基づいて、当該指示通りに前記負荷機器へと電力が供給されるように前記切替リレーを制御する制御手段と、をさらに具備し、前記制御手段は、前記負荷機器へ電力が供給されていない状態において、前記操作手段により前記負荷機器へ電力を供給する旨の指示がなされた場合、及び、前記負荷機器へ電力が供給されている状態において、前記操作手段により前記負荷機器へ電力を供給しない旨の指示がなされた場合に、前記切替リレーを切り替えると共に、前記切替リレーを切り替えた後所定時間だけ待機し、前記負荷機器へ電力が供給されている状態において、前記操作手段により前記負荷機器へ電力を供給する旨の指示がなされた場合、及び、前記負荷機器へ電力が供給されていない状態において、前記操作手段により前記負荷機器へ電力を供給しない旨の指示がなされた場合には、前記切替リレーを切り替えないものである。
【手続補正３】
【補正対象書類名】明細書
【補正対象項目名】００２１
【補正方法】変更
【補正の内容】
【００２１】
本発明のスイッチ制御システムにおいては、前記電力検知リレーによる検知結果を利用者に報知する報知手段をさらに具備し、前記制御手段は、前記切替リレーを切り替えた場合には、前記所定時間だけ待機した後に前記報知手段を用いて前記電力検知リレーによる検知結果を利用者に報知するものである。
【手続補正４】
【補正対象書類名】明細書
【補正対象項目名】００２２
【補正方法】変更
【補正の内容】
【００２２】
本発明のスイッチ制御システムにおいては、前記負荷機器は照明であるものである。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【国際調査報告】
2014049702.tif 000009
2014049702.tif 000010
2014049702.tif 000011
2014049702.tif 000012